(57)【特許請求の範囲】
【請求項１】
ベランダの柵２等に固定可能になる一側に筒状収納部９を構成した固定部材３と、前記固定部材３の筒状収納部９に内挿され上下方向に摺動自在でストッパー１２を介して摺動方向に連結釈放するようにした適宜長さの摺動ロッド４と、前記摺動ロッド４の頂端に固設したキャップ状のマウント部１９の一側に扁平部２０を突出したアーム固定金具５と、前記アーム固定金具５の扁平部２０に対して枢着してなるアーム部材８であって、
該アーム部材８の基部２１に穿設した長手方向に延びる長孔２２に前記扁平部２０に設けたピン軸２３を長孔２２の範囲で摺動自在且つ旋回自在に枢設すると共に、
該基部２１の回転方向上側の一側に設けられた切欠き２５を前記扁平部２０に突出したいまひとつのピン軸２４とアーム部材８が水平方向から約４０度の位置で係合し、
また前記アーム部材８の基部２１に構成した切欠き２５とアーム固定金具５に立設したピン軸２４の関係が、
前記切欠き２５の内側の壁２９が前記長孔２２側のピン軸２３をいまひとつの前記ピン軸２４との線分を半径とする円の該いまひとつのピン軸２４の接線より約３０度外側に傾斜した構造となっており、
該内側の壁２９が邪魔してアーム部材８の拡開姿勢から前記ピン軸２３をピポットにしていまひとつのピン軸２４から切欠き２５が外れないように阻止する構造となる、
ことを特徴とする物干し竿掛け。
【請求項２】
前記固定部材３の筒状収容部９に設けられたストッパー１２が該筒状収容部９上部近傍に穿設した小孔１４からストッパーロッド１３を挿入して前記摺動ロッド４の長手方向に穿設した小孔１５の一つに選択挿入する構造にすると共に、
上記ストッパーロッド１３を挿入方向にバネ１６で弾性付勢し、ストッパーキャップ１７と連繋してこれを摺動後退させるようにした、
ことを特徴とする請求項１記載の物干し竿掛け。
【請求項３】
ベランダの柵２等に固定可能になる一側に筒状収納部９を構成した固定部材３と、前記固定部材３の筒状収納部９に内挿され上下方向摺動自在でストッパー１２を介して摺動方向に連結釈放するようにした適宜長さの摺動ロッド４と、前記摺動ロッド４の頂端に固設したキャップ状のマウント部１９の一側に扁平部２０を突出したアーム固定金具５と、前記アーム固定金具５の扁平部２０に対して枢着してなるアーム部材８であって、
該アーム部材８の基部２１に穿設した長手方向に延びる長孔２２に前記扁平部２０に設けたピン軸２３を長孔２２の範囲で摺動自在且つ旋回自在に枢設すると共に、
該基部２１の回転方向上側の一側に設けられた切欠き２５を前記扁平部２０に突出したいまひとつのピン軸２４とアーム部材８が水平方向から約４０度の位置で係合し、
また前記アーム部材８の基部２１に構成した切欠き２５とアーム固定金具５に立設したピン軸２４の関係が、
前記切欠き２５の内側の壁２９が前記長孔２２側のピン軸２３をいまひとつの前記ピン軸２４との線分を半径とする円の該いまひとつのピン軸２４の接線より約３０度外側に傾斜した構造となっており、
該内側の壁２９が邪魔してアーム部材８の拡開姿勢から前記ピン軸２３をピポットにしていまひとつのピン軸２４から切欠き２５が外れないように阻止する構造となし、
前記物干し竿掛けは使用時に前記固定部材３に対して上下摺動自在に枢着した摺動ロッド４の頂端にアーム固定金具５を固着し、該アーム固定金具５にアーム部材８を水平方向位置より略４０度上方に固定し、
前記物干し竿掛けは不使用時に摺動ロッド４を摺動し該アーム部材８を下方に旋回し鉛直に収納する、
ことを特徴とする物干し竿掛けの使用方法。
【発明の詳細な説明】
【０００１】
【発明の属する技術分野】
本発明は伸長して長尺物を高く掛け渡し、また物干し竿を取り外すことなく片付け低く収容することができ、しかも掛けたとき確実にその姿勢を保持する物干し竿掛けに関するものである。
【０００２】
【従来の技術】
従来より物干し竿掛けとしては図１１に示すようなものが使われていた。即ちベランダ柵支柱等の取り付けられる側５０に固定部材５１を固定し、該固定部材５１にアーム部材５２が設けられている。アーム部材５２に穿設した挿通孔５３，５３…に挿通支持される物干し竿を使用しない時にはアーム部材５２を鉛直方向に位置させる。
【０００３】
アーム部材５２は長さが比較的短くなっており、支持軸５４よりも上方にアーム部材５２の重心があるため、突体５５によりアーム部材５２を支持するようになる。
使用時には、アーム部材５２を一端上方に引き上げ（矢印Ａ参照）且つこの状態で回動し（矢印Ｂ参照）、アーム部材５２の係止部５６と突体５５の係止部受け５７とが係合することによりアーム部材５２は所定の角度位置で斜めに係止され、当該アーム部材５２により支持された物干し竿５４に干し物を干す。
【０００４】
物干し竿収納時には前記と逆に物干し竿を持ってアーム部材５２が鉛直位置になる状態に回動し、この状態でアーム部材５２を長孔に沿って下降させるようにする。
【０００５】
【発明が解決しようとする課題】
上記構成では、アーム部材５２の係止部５６と突体５５の係止部受け５７を係合することにより該アーム部材５２を所定の傾斜角度位置で係止する構造になるため、長孔のストローク（矢印Ｃ参照）だけしか下降させることができず、収納状態が大きくなり、小さく畳むことができない。
【０００６】
本発明は上記問題に鑑みてなされたもので、高く広げて小さく折り畳むことができ、且つ堅牢で伸長時に確実な伸長姿勢を維持する新規構造の物干し竿掛けを提供することを目的とする。
【０００７】
【課題を解決するための手段】
本発明の物干し竿掛けは、ベランダの柵等に固定可能になる一側に筒状収容部を構成した固定部材と、上記固定部材の筒状収容部に内挿され、上下方向摺動自在になり、ストッパーを介して摺動方向に連結釈放するようにした適宜長さの摺動ロッドと、上記摺動ロッドの頂端に固設したキャップ状のマウント部の一側に扁平部を突出したアーム固定金具と、上記アーム固定金具の扁平部に対して枢着してなるアーム部材であって、該アーム部材の基部に穿孔した長手方向に延びる長孔に、前記扁平部に設けたピン軸を長孔の範囲で摺動自在且つ旋回自在に枢設すると共に基部の回転方向上側の一側に設けた切欠きを前記扁平部に突設したいまひとつのピン軸とアーム部材が水平方向から約４０度の位置で係合し、また多数の物干し竿挿通孔を長手方向に配設した構成になることを要旨とするものである。
【０００８】
また上記固定部材の筒状収容部に設けられたストッパーが、筒状収容部上部近傍に穿設した小孔からストッパーロッドを挿入して前記摺動ロッドの長手方向に穿設した小孔の一つに選択挿入する構造にすると共に、上記ストッパーロッドを挿入方向にバネで弾性付制し、ストッパーキャップと連繋してこれを摺動後退させるようにしたことをも要旨とするものである。
【０００９】
更に上記アーム部材の基部に構成した切欠きとアーム固定金具に立設したピン軸の関係が、上記切欠きの内側の壁が前記長孔側のピン軸をいまひとつの上記ピン軸との線分を半径とする円の該いまひとつのピン軸点の接線より約３０度外側に傾斜した構造になっており、該内側の壁が邪魔をしてアーム部材の拡開姿勢から前記ピン軸をピボットにして、いまひとつのピン軸から切欠きが外れないように阻止する構造になることを要旨とするものである。
【００１０】
【実施例】
以下、本発明に係る物干し竿掛けの一実施例を図１乃至図１０に従って説明する。
図１は、物干し竿掛けをベランダに取り付けた状態を示す側面図、図２乃至図４は固定部材のストッパーを示す詳細図、図５及び図６はアーム固定金具の詳細図、図７乃至図９はアーム部材であり、図１０（ａ）乃至（ｅ）はアーム部材の支持状況を示す説明図である。
【００１１】
物干し竿掛け１は、ベランダの柵２等に固定する固定部材３と、該固定部材３に対して上下方向摺動自在に担持する摺動ロッド４の頂端にアーム固定金具５を固定し、該アーム固定金具５に対して物干し竿（図示せず）を挿通するように物干し竿挿通孔７を穿孔したアーム部材８を反転自在に枢設したものである。
【００１２】
固定部材３は、筒状収容部９の一側を平坦に延長してマウント部１０とし、該マウント部１０にボルト１１，１１等を締着した構造になる。該筒状収容部９は一側（マウント部１０側）が僅かに平坦になる筒状を呈し、同様の外形になる筒状の摺動ロッド４をストッパー１２を介して摺動自在に内挿してなる。
【００１３】
ストッパー１２は、固定部材３の筒状収容部９上部に位置してストッパーロッド１３が設けられ、筒状収容部９に穿設した小孔１４を介して摺動ロッド４の長手方向に穿設した小孔１５，１５…に選択的に挿入するようバネ１６が弾性的に設けられストッパーキャップ１７によって挿抜自在になる。
【００１４】
摺動ロッド４の頂端に固設されるアーム固定金具５は、摺動ロッド４の頂端に被せるキャップ状を呈し、ボルト・ナット１８，１８によって固着したマウント部１９から一側方向に扁平部２０を突出した構造になり、比較的長い（略５０ｃｍ程度）扁平状としたアーム部材８の基部２１と枢着してなる。
【００１５】
アーム部材８の基部２１には長手方向に長さ３〜４ｃｍの長孔２２が長手方向に穿設され、扁平部２０に突設したピン軸２３と長孔２２の範囲で摺動自在になり、且つ回動してアーム部材８を揺動自在に枢着してなる。
また扁平部２０には斜め上側にいまひとつのピン軸２４が突設してあり、アーム部材８が水平から約４０度の角度で基部２１に設けた切欠き２５と係合する。
【００１６】
上記切欠き２５は、内側の壁２９が外側に傾斜して、上記長孔２２側のピン軸２３を中心とし、いまひとつの上記ピン軸２４との線分を半径とする円の該いまひとつのピン軸２４点の接線より約３０度外側に傾斜した構造になっている。即ち、ピン軸２４の外れを阻止する方向に仰角に約３０度傾いた構造になっており、従って、内側の壁２９が邪魔をして、アーム部材８の拡開姿勢からピン軸２３をピボットにしてピン軸２４から外れないように阻止している。
【００１７】
また該アーム部材８の基部２１は回動方向下側の一側に挿入片２６が構成してあり、長孔２２の内側端部を軸心としてアーム部材８を揺動したとき、扁平部２０の対応する位置に挿入片２６の受入れ孔２７を構成し、アーム部材８を折り畳み姿勢にしたとき該アーム部材８が鉛直方向を向いているように挿入される。
【００１８】
アーム部材８には全体に亘って長手方向に物干し竿挿通孔７，７…が複数個穿設してあり、物干し竿６を横方向から直交して挿通することができる。
【００１９】
上記構成になる物干し竿掛けは、ベランダの柵２等に固定部材２をボルト１１，１１を介して取り付け、アーム部材８の物干し竿挿通孔７に物干し竿（図示せず）を挿通して使用するものである。
【００２０】
次には該物干し竿掛けの使用及び収納方法を併せ、更に構成を詳しく説明する。
先ず使用する場合は、アーム部材８を旋回して水平から約４０度上方に固定する。アーム部材８を持ってアーム固定金具５に対して旋回すると、ピン軸２３に摺動自在に枢着した長孔２２は、先端の方向に摺動した後旋回する。
【００２１】
この旋回によって、アーム部材８は約４０度水平方向から上向いた姿勢になり、ここで切欠き２５がいまひとつのピン軸２４と係合する。この状態から摺動ロッド４を固定部材３に対して上方に伸長させ、アーム固定金具５とアーム部材８を上昇させる。
【００２２】
摺動ロッド４は、ストッパーキャップ１７を後退摺動操作すると、バネ１６によって弾挿されているストッパーロッド１３が小孔１５から外れて固定部材３の筒状収容部９に対して摺動自在になる。
ここで摺動ロッド４を引き上げ摺動してアーム部材８を上昇させた後、ストッパーキャップ１７から指を外してストッパーロッド１３をバネ１６の弾性によって小孔１４を介して摺動ロッド４の小孔１５の一つに挿入して摺動を固定阻止する。
【００２３】
上記状態で物干し竿（図示せず）を高く掲げて使用するものであるため、洗濯物等が風に煽られても摺動ロッド４が滑り落ちてしまったり、アーム部材８が自由旋回して垂れ下がったりしてしまうことはない。
【００２４】
次に物干し竿掛けを使用しないときには、摺動ロッド４を低くしてまたアーム部材８を下方に旋回して鉛直に収納するものである。
物干し竿（図示せず）を掛けたまま、摺動ロッド４のストッパーキャップ１７をバネ１６の弾性に抗して後退摺動させ、ストッパーロッド１３を小孔１５から後退させて拘束を除去し、該摺動ロッド４を固定部材３の筒状収容部９一杯まで摺動降下させる。
【００２５】
しかる後、アーム部材８を僅かに長さ方向に引っ張り、基部２１の切欠き２５をアーム固定金具５のピン軸２４から外し、次にアーム部材８を下方に旋回して挿入片２６を受け入れ孔２７に挿入し、該アーム部材８を鉛直方向に収容することになる。
【００２６】
これによって物干し竿（図示せず）を掛け渡したまま、低く収納することができるもので、物干し竿（図示せず）は、物干し竿挿通孔７から引き抜いて適当な場所に収納することもできる。
【００２７】
【発明の効果】
以上述べたように本発明に係る物干し竿掛けの構造及びその使用方法によれば、固定部材に対して上下摺動自在に枢着した摺動ロッドの頂端にアーム固定金具を固着し、該アーム固定金具にアーム部材を水平位置から約４０度上方に跳ね上げ固定する構造にしたことにより、物干し竿を掛け渡して使用する際の使用時の姿勢を高く維持することができることになる。
【００２８】
また収容に際しては上記摺動ロッドを低く摺動した後、アーム部材を鉛直下向きに折り畳むことができるため、より低く小さくすることができることとなる。このため収容時のスペースを小さくするばかりでなく、伸長使用時にはその姿勢を確実に保持できる等の顕著な諸々の特徴を有するものであり、本発明の実施によって得られる効果は極めて大きい。
【図面の簡単な説明】
【図１】本発明の物干し竿掛けを示す、物干し竿掛けをベランダに取り付けた状態の側面図である。
【図２】ストッパーの構造を示す固定部材の側面図である。
【図３】同要部横断面図である。
【図４】同釈放作動状態の要部横断面図である。
【図５】アーム固定金具の正面図である。
【図６】アーム固定金具の左側面図である。
【図７】アーム部材の正面図である。
【図８】アーム部材の縦断面図である。
【図９】アーム部材の切欠と長孔の関係を示す詳細図である。
【図１０】（ａ）乃至（ｅ）はアーム部材の支持状況を示す説明図である。
【図１１】従来の物干し竿掛けを示す説明図である。
【符号の説明】
１  物干し竿掛け
２  ベランダの柵
３  固定部材
４  摺動ロッド
５  アーム固定金具
７  物干し竿挿通孔
８  アーム部材
９  筒状収容部
１０  マウント部
１１  ボルト
１２  ストッパー
１３  ストッパーロッド
１４  小孔
１５  小孔
１６  バネ
１７  ストッパーキャップ
１８  ボルト・ナット
１９  マウント部
２０  扁平部
２１  基部
２２  長孔
２３  ピン軸
２４  ピン軸
２５  切欠き
２６  挿入片
２７  受入れ孔
２８  物干し竿挿通孔
２９  内側の壁
【図１】
0003621896.tif 000002
【図２】
0003621896.tif 000003
【図３】
0003621896.tif 000004
【図４】
0003621896.tif 000005
【図５】
0003621896.tif 000006
【図６】
0003621896.tif 000007
【図７】
0003621896.tif 000008
【図８】
0003621896.tif 000009
【図９】
0003621896.tif 000010
【図１０】
0003621896.tif 000011
0003621896.tif 000012
0003621896.tif 000013
0003621896.tif 000014
0003621896.tif 000015
【図１１】
0003621896.tif 000016